(57)【要約】【課題】急速な排気機能と緩徐な排気機能を達成する異なる排気速度を有する電磁弁を提供する。【解決手段】電磁弁は設置座１と、コイルユニット４と、磁桿ユニット７と、スプリングＳと、気体密封ユニットとを備える。設置座１は設置空間１５を有するヨーク１０と、ヨーク１０の側板１２に装着される底棒２０と、底棒２０に配置される排気孔と、緩徐排気部２９とを有する。コイルユニット４はボディーが長管状を呈しかつ設置孔を有する巻線座４０と、巻線座４０のボディー外周を巻くコイル５０とを有する。磁桿ユニット７はボディーを有しかつその外周が巻線座４０の設置孔に位置付けられ軸方向に沿い移動可能であるスリーブを有する。スプリングＳは磁桿ユニット７を設置座１の底棒２０に対し移動させる。気体密封ユニットは底棒２０のビストン棒に接触し排気孔を塞ぐことで気流を設置座１の緩徐排気部２９から排出させる活栓を有する。【選択図】図１
0003119774.tif 000002
【実用新案登録請求の範囲】
【請求項１】
設置空間を有するヨークと、ヨークの側板に装着される底棒と、底棒に配置される排気孔と、緩徐排気部とを有する設置座と、
ボディーが長管状を呈しかつ設置孔を有する巻線座と、巻線座のボディーの外周を巻くコイルとを有するコイルユニットと、
ボディーを有しかつその外周が巻線座の設置孔に位置付けられることで軸方向に沿って移動可能であるスリーブを有する磁桿ユニットと、
磁桿ユニットを設置座の底棒に対して移動させるスプリングと、
底棒のビストン棒に接触し排気孔を塞ぐことで気流を設置座の緩徐排気部から徐々に排出可能である活栓を有する気体密封ユニットと、
を備えることを特徴とする異なる排気速度を有する電磁弁。
【請求項２】
設置空間を有するヨークと、ヨークの側板に装着される底棒と、底棒に配置される排気孔とを有する設置座と、
ボディーが長管状を呈しかつ設置孔を有する巻線座と、巻線座のボディーの外周を巻くコイルとを有するコイルユニットと、
ボディーを有しかつその外周が巻線座の設置孔に位置付けられることで軸方向に沿って移動可能であるスリーブを有する磁桿ユニットと、
磁桿ユニットを設置座の底棒に対して移動させるスプリングと、
底棒のビストン棒に接触し排気孔を塞ぐ活栓と、気流を徐々に排出可能な緩徐排気部とを有する気体密封ユニットと、
を備えることを特徴とする異なる排気速度を有する電磁弁。
【請求項３】
設置空間を有するヨークと、ヨークの側板に装着される底棒と、底棒に配置される排気孔とを有する設置座と、
ボディーが長管状を呈しかつ設置孔を有する巻線座と、巻線座のボディーの外周を巻くコイルとを有するコイルユニットと、
ボディーを有しかつその外周が巻線座の設置孔に位置付けられることで軸方向に沿って移動可能であるスリーブと、緩徐排気部とを有する磁桿ユニットと、
磁桿ユニットを設置座の底棒に対して移動させるスプリングと、
底棒のビストン棒に接触し排気孔を塞ぐ活栓と、設置座の排気孔と磁桿ユニットの緩徐排気部とに繋がることで気流を設置座の緩徐排気部から徐々に排出可能である通気孔とを有する気体密封ユニットと、
を備えることを特徴とする異なる排気速度を有する電磁弁。
【考案の詳細な説明】
【技術分野】
【０００１】
本考案は、電磁弁に関し、詳しく言えば異なる排気速度を有する電磁弁に関するものである。
【背景技術】
【０００２】
周知の電磁弁は急速排気の作動状態、即ち急速な排気状態のみを呈するが、需要に応じ緩徐な排気状態が要求される場合があるため、急速な排気作動と緩徐な排気作動を兼ね備える電磁弁が考案された。
しかし、このような電磁弁の欠点として、緩徐な排気のための構造が複雑であるのに対し作動過程において確実な作動を把握できない点、部品が多く組立に時間がかかる点、耐久性を向上させる必要がある点などがあるため、改善の余地がある。
【考案の開示】
【考案が解決しようとする課題】
【０００３】
上述の欠点に鑑みて本考案者は研究に没頭した結果、異なる排気速度を有する電磁弁を完成させた。
本考案の主な目的は、構造を簡単化することで電磁弁に急速な排気機能と緩徐な排気機能を達成させることが可能である異なる排気速度を有する電磁弁を提供することである。
本考案のもう一つの目的は、緩徐な排気のための構造が簡単で、組立が容易で、作動が確実で、耐久性が良好である異なる排気速度を有する電磁弁を提供することである。
【課題を解決するための手段】
【０００４】
上述の目的を達成するために、本考案による異なる排気速度を有する電磁弁は設置座と、コイルユニットと、磁桿ユニットと、スプリングと、気体密封ユニットと、を備える。設置座は設置空間を有するヨークと、ヨークの側板に装着される底棒と、底棒に配置される排気孔とを含む。コイルユニットはボディーが長管状を呈しかつ設置孔を有する巻線座と、巻線座のボディー外周を巻くコイルとを含む。磁桿ユニットはボディーを有しかつその外周が巻線座の設置孔に位置付けられることで軸方向に沿い移動可能であるスリーブを含む。スプリングはその両端が別々に設置座の底棒と磁桿ユニットに突き当たるように装着されることで弾性圧縮作用を提供可能である。気体密封ユニットは底棒のビストン棒に接触し排気孔を塞ぐ活栓を有する。そのうち設置座の底棒、磁桿ユニットのスリーブまたは気体密封ユニットは緩徐排気部を有する。
【考案を実施するための最良の形態】
【０００５】
以下、本考案の特徴と達成可能な効果について実施例を挙げ、説明する。
図１から図５に示すように、本考案の一実施例による異なる排気速度を有する電磁弁は様々な使い道に応じ往復作用を制御可能である。かつ電磁弁は設置座、コイルユニット、磁桿ユニット、気体密封ユニットとスプリングを備える。
【０００６】
設置座１はヨーク１０、底棒２０と固定蓋３０を含む。
そのうちヨーク１０は金属から構成され、かつ底板１１、側板１２と上方板１３を有することで設置空間１５を形成し、かつ底板１１と上方板１３の末端には固定用突出部１８を有する。
【０００７】
底棒２０はヨーク１０の側板１２に装着され、かつ第一柱部２１、第二柱部２２、ばね押さえ部２３、ビストン棒２５、軸方向に沿い貫通するように配置される通気孔２７、及びビストン棒２５の端面に浅い溝状を呈するように形成される緩徐排気部２９を有する。
固定蓋３０は一つの嵌合孔３２と、ヨーク１０の固定用突出部１８と係合することでその両面をヨーク１０の上方板１１と底板１３の内面に密着させる二つの窪み口３３とを有する。
【０００８】
コイルユニット４は巻線座４０、コイル５０とプラスチック膜６０を含む。
巻線座４０は長管状を呈するボディー４１と、貫通するように形成される設置孔４５とを有する。
コイル５０は細長い銅線５１で巻線座４０のボディー４１外周を巻き、かつ銅線５１の両端から延伸して先端部５３を形成する。
【０００９】
プラスチック膜６０はコイル５０の外周を被覆する。
磁桿ユニット７はスリーブ７０を有し、スリーブ７０はその外周が巻線座４０の設置孔４５に位置することで軸方向に沿い移動可能であるボディー７１と、ボディー７１に配置される第一設置孔７３と、設置座１の底棒２０の端部に対応するように配置される第二設置孔７４とばね押さえ部７５を有する。
【００１０】
気体密封ユニット９０はゴム材から構成され、かつ気体密封ユニット９０はスリーブ７０の第二設置孔７４に装着される活栓９１と、底棒２０のビストン棒２５を塞ぐように活栓９１の端面に形成される環状突出部９３を有する。
スプリングＳは圧縮スプリングから構成され、その両端が別々に設置座１の底棒２０のばね押さえ部２３と磁桿ユニット７のばね押さえ部７５に突き当たるように装着されることで弾性圧縮作用を提供可能である。
【００１１】
本実施例の作動状態は次の通りである。
図４に示すように、電磁弁のコイル５０に通電しておらず、磁桿ユニット７に吸着していない場合、磁桿ユニット７はスプリングＳにより押さえられ、気体密封ユニット９０の環状突出部９３は底棒２０のビストン棒２５に一定の間隔を置くため、急速な排気状態を形成可能である。
【００１２】
図５に示すように、逆に電磁弁のコイル５０に通電し、磁力が生成される場合、磁桿ユニット７は底棒２０の側に向かい押し付け、スプリングＳの弾力を克服し、気体密封ユニット９０は底棒２０のビストン棒２５に突き当たり、底棒２０の通気孔２７を密封するため、気流を設置座１の底棒２０の緩徐排気部２９から徐々に排出することが可能である。
【００１３】
また磁桿ユニットはさらにスリーブの第一設置孔に配置される磁石（図示せず）を含むことが可能である。
また本考案は様々な実施例の構造が実施可能である。詳しい説明は次の通りである。
図６に示すように、本考案のもう一つの実施例では、底棒の緩徐排気部２９Ａは径方向に配置される内孔である。
【００１４】
図７に示すように、本考案のまたもう一つの実施例では、同様に気体密封ユニット９０Ｂが磁桿ユニットのスリーブのボディーに装着される。また気体密封ユニット９０Ｂは径方向に沿い端面に配置されかつ槽状を呈する緩徐排気部９９Ｂを有するのに対し、設置座の底棒の緩徐排気部を配置する必要がなくなる。
【００１５】
図８に示すように、本考案のまたもう一つの実施例では、同様に気体密封ユニット９０Ｃが磁桿ユニットのスリーブのボディーに装着される。また気体密封ユニット９０Ｃは軸方向に沿い配置される細孔を呈する緩徐排気部９９Ｃを有する。
図９に示すように、本考案のまたもう一つの実施例では、気体密封ユニット９０Ｄが設置座の底棒に装着される。また気体密封ユニット９０Ｄは通気孔９５Ｄを有する。磁桿ユニットのスリーブは通気孔９５Ｄと互いに通じるように端面に配置され、かつ槽状を呈する緩徐排気部４９Ｄを有する。
【００１６】
図１０に示すように、本考案のまたもう一つの実施例では、気体密封ユニット９０Ｄは一つ前の実施例と同じである。磁桿ユニットのスリーブにはねじにより軸方向に沿い配置され緩徐な排気に用いられる細孔を呈する緩徐排気部４７１Ｅを有する排気ユニット４７Ｅを取り付けることが可能である。
図１１に示すように、本考案のまたもう一つの実施例では、気体密封ユニット９０Ｆはねじにより磁桿ユニットのスリーブに装着される。また気体密封ユニット９０Ｆは端面に槽状を呈するように配置される緩徐排気部９９Ｆを有する。
【００１７】
上述の実施例の通り、本考案の特徴は次の通りである。
１．本考案による異なる排気速度を有する電磁弁は構造を簡単化することで電磁弁の急速な排気と緩徐な排気を兼ね備える機能を達成することが可能である
２．本考案による異なる排気速度を有する電磁弁は緩徐な排気のための構造が簡単で、組立が容易で、作動が確実で、耐久性が良好である。
【図面の簡単な説明】
【００１８】
【図１】本考案の一実施例による電磁弁を分解した状態を示す斜視図である。
【図２】本考案の一実施例による電磁弁を分解した状態を示す平面図である。
【図３】本考案の一実施例による電磁弁の組立後の状態を示す底面図である。
【図４】図３の８−８線の方向に沿う断面図である。
【図５】本考案の一実施例による電磁弁の閉鎖作動の状態を示す模式図である。
【図６】本考案のもう一つの実施例による電磁弁の組立後の一部分を示す模式図である。
【図７】本考案のまたもう一つの実施例による電磁弁の組立後の一部分を示す模式図である。
【図８】本考案のまたもう一つの実施例による電磁弁の組立後の一部分を示す模式図である。
【図９】本考案のまたもう一つの実施例による電磁弁の組立後の一部分を示す模式図である。
【図１０】本考案のまたもう一つの実施例による電磁弁の組立後の一部分を示す模式図である。
【図１１】本考案のまたもう一つの実施例による電磁弁の組立後の一部分を示す模式図である。
【符号の説明】
【００１９】
１  設置座、４  コイルユニット、７  磁桿ユニット、１０  ヨーク、１１  底板、１２  側板、１３  上方板、１５  設置空間、１８  固定用突出部、２０  底棒、２１  第一柱部、２２  第二柱部、２３  ばね押さえ部、２５  ビストン棒、２７  通気孔、２９、２９Ａ、４９Ｄ  緩徐排気部、３０  固定蓋、３１  板部、３２  嵌合孔、３３  窪み口、４０  巻線座、４１  ボディー、４５  設置孔、４７Ｅ  排気ユニット、４９Ｄ、４７１Ｅ、  緩徐排気部、５０  コイル、５１  銅線、５３  先端部、６０  プラスチック膜、７０  スリーブ、７１  ボディー、７３  第一設置孔、７４  第二設置孔、７５  ばね押さえ部、９０、９０Ｂ、９０Ｃ、９０Ｄ、９０Ｅ、９０Ｆ  気体密封ユニット、９１  活栓、９３  環状突出部、９５Ｄ、９５Ｅ  通気孔、９９Ｂ、９９Ｃ、９９Ｆ  緩徐排気部、Ｓ  スプリング
【図１】
0003119774.tif 000003
【図２】
0003119774.tif 000004
【図３】
0003119774.tif 000005
【図４】
0003119774.tif 000006
【図５】
0003119774.tif 000007
【図６】
0003119774.tif 000008
【図７】
0003119774.tif 000009
【図８】
0003119774.tif 000010
【図９】
0003119774.tif 000011
【図１０】
0003119774.tif 000012
【図１１】
0003119774.tif 000013